(57)【要約】      （修正有）【課題】狭い台所や洗面所でも場所を取らず、高い所にも設置可能なティッシュケースを提供する。【解決手段】ペーパーの引き出し口が底辺にあり、その両側に半円形の丸みを４カずつ設け、引き出し口を狭くし、残量が少なくなったペーパーが落ちないようにする。留め具を備えた出し入れ口のふたは、上部を蝶番で開閉できる。天上部周囲を囲って小物入れを設ける。【選択図】図１
0003168903.tif 000002
【実用新案登録請求の範囲】
【請求項１】
完全にひっくり返したティッシュペーパー箱を入れるため、ペーパー引き出し口が底辺にあること、横長の側面にはマグネットでふたを閉めることができる出し入れ口が設けられていること、ペーパーの残量が少なくなった時、ごっそり落ちないように、半円形の浅い丸みを両側に４ヶづつデザインして、引き出し口をやや狭くしたこと、上部周囲を囲って小物入れとして利用できるようにしたことを特徴とし、高い空間からペーパーを下へ引くことが出来るようにした、ティッシュケース本体と壁掛式フックと回転式フック。
【請求項２】
ティッシュペーパー箱の出し入れ口の開閉は、ケース本体の横長の側面にあり、下開きが特徴の請求項１に記載のティッシュケース。
【請求項３】
下開きの出し入れ口のふたを閉めるため、磁石に吸い付く素材の爪をふたの中央部に設け、相対する下部に磁石を設けた請求項１に記載のティッシュケース。
【請求項４】
紙数が少なくなった時ごっそり落ちないように、口幅をやや狭くするためにペーパー引き出し口の周囲に、半円形の浅い丸みを両側に４ヶづつ設けることで、エレガントさを特徴とした請求項１に記載のティッシュケース。
【請求項５】
ティッシュケース本体上部の周囲に小物が落ちない程度の低い囲いを設け、小物入れとしても利用できる請求項１に記載のティッシュケース。
【請求項６】
主に棚底に取り付けることを目的とし、ケース本体が頭上の空中に浮いて回転し、かがむことなく立ったままの姿勢でペーパーを下へ引くことが出来て使い勝手がよく、とりわけ腰痛の人にやさしい請求項１に記載の回転式フック。
【請求項７】
高さが調節できる２段の壁掛式フックはケース本体の安定を確保するため、広めの間隔にヘラ状のフックを２本と、ケース本体の側面の高さいっぱいまでの差し込み口が特徴であり、ケース本体の掛けられていない方のフックもいろいろに利用できる請求項１に記載の回転式フック。
【考案の詳細な説明】
【技術分野】
【０００１】  ティッシュペーパー箱を、１８０度ひっくり返してケースに入れ、床から１５０ｃｍぐらいの高さの壁に掛けたり、頭上の棚底に回転フックを取り付け、セットすることで、かがむことなく、立ったままの姿勢で、ペーパーが引けるため、誰にでも、とりわけ腰痛の人にやさしい、壁掛け式ティッシュケースと回転式ティッシュケースに関するものである。
【背景技術】
【０００２】  ティッシュペーパー箱は意外に場所を取り、急ぐ時に探すイライラは、出かける前や調理中に、誰もが体験し、ふだんよく見られる光景であるが、これまでに高い空間からペーパーを下へ引いたり、回転したりするものがなかった。
【考案の概要】
【考案が解決しようとする課題】
【０００３】  狭いキッチンや洗面所には、ティッシュペーパー箱ひとつでも場所を取り、あきスペースが必要なものです。時間に追われている時、探すのも大変なうえ、腰痛の人はかがむと腰にひびくものですが、高所に取り付けて、立ったままの姿勢で使用可能とし、前述の不満を解消しようとするものである。
【課題を解決するための手段】
【０００４】  ティッシュペーパー箱を１８０度ひっくり返すので、ペーパー引き出し口６は底辺に位置し、横長側面に設けた下開きのティッシュペーパー出し入れ口のふた２はマグネットで閉め、天上部を小物入れにして、壁掛け用と回転用のフック取り付け口を設けたケース本体１を、壁掛け式フックや回転式フックにセットして使用することで、問題を解決しようとしている。【０００５】  通常のティッシュペーパー箱をひっくり返したため、ペーパー引き出し口６はケース本体１の底辺に位置し、紙の残量が少なくなった時、ごっそり落ちないように設けた両側の４ヶづつのフリルはエレガントなデザインであり、インテリア小物としてご愛用いただくこともできるものである。【０００６】  回転式フックを棚底の端あたりに設置した場合、ケース本体１が棚の外で浮いて回るため、子供部屋の多目的棚に使用すると楽しい。
【考案の効果】
【０００７】  高い空間に、かべ掛け式フックや回転式フックを設け、ティッシュペーパー箱をひっくり返してケース本体１にセットして使用するため、あきスペースができ、探す手間もはぶけ、かがむことなく立ったままの姿勢でペーパーを下へ引けるため、誰れにでも使い勝手がよく、とりわけ腰痛の人にはありがたく快適な生活を可能にした。
【図面の簡単な説明】
【０００８】
【図１】  本考案のケース本体１の斜視図である。
【図２】  ケース本体１の壁掛式と回転式のフックさし込み口を図示したものである。
【図３】  回転式フックの斜視図（ｂ）とケース本体１のフックさし込み口の肉厚部分（ａ）を図示したものである。
【図４】  壁掛け式フックの斜視図（ｂ）とケース本体１のフックさし込み口の肉厚部分（ａ）を図示したものである。
【図５】  回転式フックの取り付け部品１６，１７，１８の斜視図と内部を図示した切断図（ｄ）である。
【考案を実施するための形態】
【０００９】  ティッシュケース本体１を図１にもとづいて説明する。
【００１０】  ティッシュペーパー箱をひっくり返して高い場所からペーパーを下へ引くため、ケース本体１もひっくり返った形状になっており、横長の側面のティッシュペーパー出し入れ口のふた２は、蝶番３で開閉し、そのふたはマグネット４と爪５で閉まるようになっており、ペーパーの残量が少なくなった時、ごっそりまとまって落ちないように、両側に浅い丸みを４ヶづつ型どり、口幅をやや狭くしたペーパー引き出し口６と、ケース本体１の天上部周囲に囲い７を設けることで、小物入れ８として利用できるものである。
【００１１】  ティッシュペーパー箱の出し入れ口のふた２は、横長側面にあって下開きになっていて、ふたの中央には、磁石に吸い付く素材の爪５が、相対する下部には磁石４が取り付けられている。
【００１２】  出し入れ口のふた２は、主に蝶番３で開閉するが、布製のカバーで本体ケース１を覆う場合は、布がちょうつがいの役目を果たす。
【００１３】  高い空間からティッシュペーパーを下へ引く形状になっているため、ティッシュペーパー引き出し口６には、ペーパーの残量が少なくなった時、ごっそりまとまって落ちないように口幅をやや狭くする目的と、エレガントな形にするために、両側に半円の浅い丸みを４ヶづつかたどってある。
【００１４】  ケース本体１の８つの角すべてに丸みをつけて角を落とすとともに、ケース本体１の天上部周囲に囲い７を設けて、小物を置くための小物入れ８として利用することができる。
【００１５】  以下壁掛け式フックと回転式フックの差し込み口を、図２にもとづいて説明する。
【００１６】  壁掛け式フック差し込み口９の二カ所は、ケース本体１の安定を確保するため、１０ｃｍ強の間隔をあけたものとし、さらに安定を保つため横長の側面の高さいっぱいまでにしたもの。
【００１７】  回転式フック差し込み口１０は、ケース本体１の天上部に位置し、安定を確保するため横長の中央あたりまでとし、さらに安定を確保するためくぼみ１１を設け、フックの先端がくぼみ１１にはまり固定するようにする。
【００１８】  ケース本体１を軽量化するため、壁掛け式フック差し込み口９と、回転式フック差し込み口１０，１１の周囲のみを図３の（ａ）と図４の（ａ）ように肉厚なものとし、その厚みはケース本体１の内側に盛り上ったものとし、外側の形状には影響がないものとする。
【００１９】  以下、回転式フック、壁掛け式フックを、図３の（ｂ）、図４の（ｂ）、図５にもとづいて説明する。
【００２０】  回転式フック図３の（ｂ）は、おもに棚底に取り付けてケース本体１をセットし、１８０度回転する。フックの取り付け先端１５は球状になっており、キャップ１８の溝にはまって固定する。フックは巾をせばめてケース本体１にさし込み、くぼみ１１に先端を固定させることで安全を保つことができる。
【００２１】  壁掛け式フックは、従来のようにティッシュペーパー箱を、Ｌ字型、コの字型のフックで支えるのではなく、ひっくり返した形状のケース本体１を支えるため、しっかりとした１本の胴体柱１２に、平たい形状のフック１４を設けただけの簡単なものではあるが、左右に広めの間隔（最低でも１０ｃｍ）を開けたことや、ケース本体１の高さいっぱいまで深くさし込むため安定したものとなる。
【００２２】  胴体柱１２は、市販の留めねじで上下２カ所を壁に取り付け、２段設けたフックは胴体柱１２の中心部より１ｃｍ突き出したものである。ケース本体１は手動で一旦取り外してから別のフックに取り付けるものであるが、複雑なものより安全性が高く、ケース本体１が掛けられていないもう一方のフックもいろいろに利用できて良い。
【００２３】  フックは２段設けてあるため、ペーパー引き出し口６の高さが１８ｃｍ上下に移動するので、子供や大人の背丈に調節したり、腰痛の人にも好みの高さに合わせられるのが、なによりの利点である。
【００２４】  回転式フックの取り付け金具は天板１６の中央孔からオーバーキャップ１７とキャップ１８を一本の留ねじで連結させることで完成し、ケース本体１をセットすることができる。
キャップ１８は中央で上部と下部の半分に分かれ、球状のフック取り付け先端１５をはさむものであり、オーバーキャップ１７はキャップ１８を上と下からはさみ１８０度回転したところで止まるための仕切を設けたものである。
【００２５】  同じ要領で回転式フックをキャップ１８にはさみ、さらにオーバーキャップ１７にはさみ込み、天板１６に連結させ、棚の天上部に取り付けることができるので、幅広くいろいろな場所で使用可能である。
【符号の説明】
【００２６】  １．  ケース本体
２．  ふた
３．  蝶番
４．  磁石
５．  爪
６．  ペーパー引き出し口
７．  小物入れのための囲い
８．  小物入れ
９．  かべ掛式フックの差し込み口
１０．  回転式フックの差し込み口
１１．  くぼみ
１２．  胴体柱
１３．  留ねじ口
１４．  ヘラ状フック
１５．  フック取り付先端
１６．  天板
１７．  オーバーキャップ
１８．  キャップ
【図１】
0003168903.tif 000003
【図２】
0003168903.tif 000004
【図３】
0003168903.tif 000005
【図４】
0003168903.tif 000006
【図５】
0003168903.tif 000007
【手続補正書】
【提出日】平成23年2月1日(2011.2.1)
【手続補正１】
【補正対象書類名】実用新案登録請求の範囲
【補正対象項目名】全文
【補正方法】変更
【補正の内容】
【実用新案登録請求の範囲】
【請求項１】
完全にひっくり返したティッシュペーパー箱を入れるため、ペーパー引き出し口が底辺にあること、留め具を備えた出し入れ口のふたは上部を蝶番で開閉できるようにしたこと、ペーパーの残量が少なくなった時、ごっそり落ちないように半円型の浅い丸みを両側に４ヶづつデザインして引き出し口をやや狭くしたこと、天上部周囲を囲って小物入れにしたことを特徴としたティッシュケース。
【請求項２】
（１）  ティッシュケース本体を高い空間に設置するためのフックをＵ字型にし、先端をケース本体のフックさし込み口のくぼみに落として安全を確保できるように、
外へ直角に折ったこと、
（２）  上下を分断できる円筒型のキャップの内部に溝を設けて、球状を有したＵの字型のフック取り付け先端を落として挟み、固定するようにしたこと、
（３）  キャップを包み込む形状のオーバーキャップには、フックが１８０度回転するための空間と仕切を設けたこと、
（４）  ケース本体の重量と１８０度の回転運動をしっかり支えるために、平たく丸い金属製の土台板を棚底、棚上に取り付けるようにしたこと、
（５）  Ｕの字型のフックを取り付けたキャップ、オーバーキャップ、土台板の３つを中央孔で連結して、棚底、棚上のどちらにも設置可能にしたこと、
Ｕの字型のフック、キャップ、オーバーキャップ、土台板を有する回転式フックを備えたことを特徴とする請求項１に記載のティッシュケース。
【請求項３】
（１）  しっかりとした１本の胴体柱から、１ｃｍの短い突き出しを設けたこと、
（２）  ２本の左右の柱の間隔を最低でも１０ｃｍ開けたこと、
（３）  左右の柱がヘラ状で、やや幅が広いこと、
（４）  ケース本体１の高さいっぱいまで差し込めるようにしたこと、
（５）  高さが選べるように２段にしたこと、
（１）から（５）を有する壁掛式フックを備えたことを特徴とする請求項１に記載のティッシュケース。
【請求項４】
ティッシュケース本体の天上部を小物入れとして利用するために、周囲に低い囲いを備えたことを特徴とする請求項１に記載のティッシュケース。
【手続補正２】
【補正対象書類名】明細書
【補正対象項目名】０００４
【補正方法】変更
【補正の内容】
【０００４】  ティッシュペーパー箱を１８０度ひっくり返すので、ペーパー引き出し口６は底辺に位置し、横長側面に設けたティッシュペーパー出し入れ口２は、上部の蝶番３で開閉し、天上部を小物入れにして、壁掛け用と回転用のフック取り付け口を設けたケース本体１を、壁掛け式フックや回転式フックにセットして使用することで、問題を解決しようとしている。
【手続補正３】
【補正対象書類名】明細書
【補正対象項目名】００１０
【補正方法】変更
【補正の内容】
【００１０】  ティッシュペーパー箱をひっくり返して高い空間からペーパーを下へ引くため、ケース本体１もひっくり返った形状になっており、留め具を備えたティッシュペーパー出し入れ口のふた２の上部は蝶番３で開閉し、ペーパーの残量が少なくなった時、ごっそりまとまって落ちないように、両側に浅い丸みを４ヶづつ型どり、口幅をやや狭くしたペーパー引き出し口６と、ケース本体１の天上部周囲に囲い７を設けることで、小物入れ８として利用できるものである。
【手続補正４】
【補正対象書類名】明細書
【補正対象項目名】００１１
【補正方法】削除
【補正の内容】
【手続補正５】
【補正対象書類名】明細書
【補正対象項目名】００２６
【補正方法】変更
【補正の内容】
【００２６】１．  ケース本体
２．  ふた
３．  蝶番
４．  下留め具
５．  上留め具
６．  ペーパー引き出し口
７．  小物入れのための囲い
８．  小物入れ
９．  壁掛け式フックの差し込み口
１０．  回転式フックの差し込み口
１１．  くぼみ
１２．  胴体柱
１３．  留めネジ口
１４．  ヘラ状フック
１５．  フック取り付け先端
１６．  土台板
１７．  オーバーキャップ
１８．  キャップ